(57)【要約】【課題】放熱性及び耐振動性が良好な通信装置を提供する。【解決手段】  略箱状のケース１０と、該ケースに収容され無線パケット通信網との接続用のデータ通信装置５００と、データ端末装置と前記データ通信装置５００とを相互に接続する回路が形成され前記データ通信装置５００が実装された回路基板４００とを備えた通信装置１において、前記ケース１０の外面に取付具２１０を一体に形成した【選択図】  図２
2008028622.tif 000002
【特許請求の範囲】
【請求項１】
略箱状のケースと、該ケースに収容され無線パケット通信網との接続用のデータ通信装置（ＤＣＥ：Data Circuit-terminating Equipment）と、データ端末装置（ＤＴＥ：Data Terminal Equipment）と前記データ通信装置とを相互に接続する回路が形成され前記データ通信装置が実装された回路基板とを備えた通信装置において、
前記ケースの外面に取付具を一体に形成した
ことを特徴とする通信装置。
【請求項２】
前記ケースはフロントケース及びリアケースを厚み方向に重ね合わせてなり、前記取付具をリアケース外面に形成した
ことを特徴とする請求項１記載の通信装置。
【請求項３】
前記フロントケースを樹脂材料により形成するとともに前記リアケース及び取付具を金属材料により形成した
ことを特徴とする請求項２記載の通信装置。
【請求項４】
前記データ通信装置はリアケース内面に熱伝導性部材を介して当接している
ことを特徴とする請求項２記載の通信装置。
【請求項５】
前記フロントケース及びリアケースは一端側がヒンジ構造で連結されるとともに他端側が螺結されている
ことを特徴とする請求項２記載の通信装置。
【発明の詳細な説明】
【技術分野】
【０００１】
本発明は、自動販売機の販売情報収集などのテレメトリングの分野や移動体への交通情報配信などのテレマティクスの分野などで用いられる通信装置に関し、特に通信装置のケース構造に関する。
【背景技術】
【０００２】
近年、無線パケット通信網を介して情報の収集や配信等を行うテレメトリングやテレマティクスが普及してきている。テレメトリングとは、元来は、通信回線を使って計量器の計量値を読み出す仕組みのことの総称であった。しかし、近年は、一般的に、データの読み取りだけでなく、機器の動作監視や遠隔制御にも用いる用語である。テレメトリングの代表的な例としては、自動販売機の販売管理システム，ガス・水道などの使用量管理システム、無人駐車場における管理システムなどが挙げられる。自動販売機の販売管理システムについては特許文献１を参照されたい。また、テレマティクスとは、自動車などの移動体に通信システムを組み合わせてリアルタイムに情報サービスを提供することを意味する。テレマティクスの代表的な例としては、自動車に設置した端末に交通情報やナビゲーション情報をリアルタイムに提供する車載情報システムなどが挙げられる。
【０００３】
このような分野においては、遠隔地において無線パケット通信網に接続するためのデータ通信装置（ＤＣＥ：Data Circuit-terminating Equipment）と、該データ通信装置を用いるデータ端末装置（ＤＴＥ：Data Terminal Equipment）とを配置している。例えば、自動販売機の販売管理システムにおいては、販売制御や庫内の温度制御を行う制御装置がデータ端末装置に相当する。各データ端末装置は、定期的に又は任意時に、データ通信装置を介して所定のネットワークに接続し、該ネットワークを介して所定の管理コンピュータに接続する。そして、管理コンピュータに接続したデータ端末装置は、種々の管理対象データを送信する。
【特許文献１】特開２００３−５１０５６号公報
【発明の開示】
【発明が解決しようとする課題】
【０００４】
ところで、近年、このようなシステムを構築した後に、キャリアやサービスを変更したいという要望が出てきている。その理由としては、例えば設置場所において当該キャリアでは電波状態が不安定又は不適である場合などが挙げられる。特に、接続端末に対して固定ＩＰアドレスを割り当てるネットワーク接続サービスから、動的にＩＰアドレスを付与するネットワーク接続サービスに変更したいという要望がある。このような要望を満たすためにはデータ通信装置を他の機種に変更する必要がある。しかし、データ端末装置は特定のデータ通信装置にのみ対応するよう設計されている場合が多いため、データ通信装置の交換ができない場合がある。
【０００５】
そこで、データ端末装置とデータ通信装置とを相互に接続して両者の通信を仲介する通信装置が提案されている。この通信装置はケース内にデータ通信装置と回路基板とを内蔵しており、データ端末装置からはデータ通信装置にみえるよう動作する。
【０００６】
しかし、上記の通信装置は、発熱量が大きいデータ通信装置をケース内に内蔵しているため十分な放熱構造が必要であった。また、例えば通信装置の設置場所は自動販売機や自動車など振動が生じるケースが多いため、十分な耐振動性を備えている必要があった。
【０００７】
本発明は、上記事情に鑑みてなされたものであり、その目的とするところは、放熱性及び耐振動性が良好な通信装置を提供することにある。
【課題を解決するための手段】
【０００８】
上記目的を達成するために、本願では、略箱状のケースと、該ケースに収容され無線パケット通信網との接続用のデータ通信装置（ＤＣＥ：Data Circuit-terminating Equipment）と、データ端末装置（ＤＴＥ：Data Terminal Equipment）と前記データ通信装置とを相互に接続する回路が形成され前記データ通信装置が実装された回路基板とを備えた通信装置において、前記ケースの外面に取付具を一体に形成したことを特徴とするものを提案する。
【０００９】
本発明によれば、ケース内に生じた熱がケース及び取付具を介して取付先に効率的に放熱される。ここで、本発明では、ケースと取付具が一体に形成されているので、ケースと取付具を別部材で構成した場合と比較すると、優れた放熱効率が得られる。また、ケースと取付具が一体に形成されているので、取付先の振動により取付具とケースとの結合がゆるむ恐れがない。したがって、耐振動性に優れたものとなる。
【００１０】
本発明の具体的な態様の一例として、本願では、前記ケースはフロントケース及びリアケースを厚み方向に重ね合わせてなり、前記取付具をリアケース外面に形成したものを提案する。本発明によれば、放熱性・コスト・強度・重量等を勘案して、フロントケースとリアケースとをそれぞれ適切な材料で形成することにより、環境等に最適な通信装置を提供できる。例えば、フロントケースを樹脂材料により形成するとともにリアケース及び取付具を金属材料により形成すると好適である。また、データ通信装置をリアケース内面に熱伝導性部材を介して当接するように配置すると、放熱効率の点で好適である。さらに、フロントケース及びリアケースを一端側がヒンジ構造で連結するとともに他端側を螺結すると、ケースの組み付けが容易且つ確実となり好適である。
【発明の効果】
【００１１】
以上説明したように本発明によれば、ケースと取付具が一体に形成されているので、ケースと取付具を別部材で構成した場合と比較すると、優れた放熱効率が得られる。また、ケースと取付具が一体に形成されているので、取付先の振動により取付具とケースとの結合がゆるむ恐れがない。したがって、耐振動性に優れたものとなる。
【発明を実施するための最良の形態】
【００１２】
本発明の一実施の形態に係る通信装置について図面を参照して説明する。図１は通信装置の斜視図、図２は通信装置の分解斜視図、図３はリアケースの側面図、図４はケースに収容された内部機器の構成を示す分解斜視図である。
【００１３】
この通信装置１は、図１及び図２に示すように、樹脂製のフロントケース１００と金属（本実施の形態ではアルミ）製のリアケース２００とを厚み方向に重ね合わせることにより構成された略箱状のケース１０を備えている。ケース１０の側端部にはＢＮＣコネクタなどからなるアンテナ端子（図示省略）が設けられている。ケース１０の側面であって前記アンテナ端子の横にはデータ端末装置との接続用のコネクタ１１が露出している。また、ケース１０の他の側面には、電源端子１２、グランド端子１３が露出している。
【００１４】
ケース１０は、フロントケース１００とリアケース２００とが、一方の側端部に形成された着脱自在なヒンジ構造により連結した構造となっている。具体的には、フロントケース１００の側面１０１の一方の側下端部には凹部１０２が形成されており、該凹部１０２には長さ方向に突出した支持軸１０３が形成されている。一方、リアケース２００の一方の側部の上縁部には鉤状の係止部２０１が形成されている。この係止部２０１の内周部に前記支持軸１０３を挿入することにより、フロントケース１００は該支持軸１０３を中心としてリアケース２００に対して回動自在に連結する。
【００１５】
フロントケース１００の上面１０４の側部には内部機器の操作を可能にするための孔１０５が形成されており、該孔１０５はゴムなどの弾性部材からなる蓋体１０６により封鎖されている。また、フロントケースの上面１０４には、動作状況等を表示するためのランプ１０７が配置されている。
【００１６】
リアケース２００の下面には、取付具２１０がケースと一体となって形成されている。取付具２１０は、図２及び図３に示すように、リアケース２００の下面と取付先との間の所定の距離が形成されるよう下面から厚さ方向に突出して形成されている。また、取付具２１０は、リアケース２００の側方に張り出して形成されている。取付具２１０には、ネジ止め用の丸孔２１１及び長孔２１２が形成されている。リアケース２００の底面には、図２に示すように、シリコン樹脂など熱伝導性シート２２０が貼り付けてある。また、リアケース２００には、ネジ止め用の貫通孔２３１，２３２が形成されている。一方の貫通孔２３１は、ヒンジ構造によるフロントケース１００との連結側とは反対側に形成されている。
【００１７】
次に、ケース１０に収容される内部機器及びその取付構造について説明する。ケース１０には、図２及び図４に示すように、主回路基板３００と、補助回路基板４００と、補助回路基板４００上に実装されたデータ通信装置５００と、補助回路基板４００を収容する基板ケース６００とが収容されている。
【００１８】
主回路基板３００には、データ端末装置とのインタフェイス部、データ端末装置とデータ通信装置５００との通信を仲介する回路が実装されている。また、主回路基板３００には、前記コネクタ１１、電源端子１２、グランド端子１３等が実装されている。さらに、主回路基板３００には、補助回路基板４００と接続するためのコネクタ３０１が実装されている。また、主回路基板３００には、前記基板ケース６００とともにフロントケース１００にネジ止めするための貫通孔３０２が形成されている。
【００１９】
補助回路基板４００には、データ通信装置５００と主回路基板３００とを接続するためのインターフェイス部が実装されている。また、補助回路基板４００の一方の面には前記データ通信装置５００が実装されており、他方の面には前記主回路基板３００のコネクタ３０１と接続するコネクタ４０１が実装されている。
【００２０】
基板ケース６００は、前記補助回路基板４００を収容可能な上面開放の薄型箱状のケース本体６０１と、ケース本体６０１の外側四隅に設けられた脚部６０２と、ケース本体６０１の一方の短辺から張出形成された係止片６０３と、一方の長辺から張出形成された係止片６０４とが一体に形成されている。各係止片６０３，６０４にはネジ孔６０５，６０６が形成されている。前記脚部６０２には貫通孔６０７が形成されている。また、ケース本体６０１の底面には前記補助回路基板４００のコネクタ４０１が貫通させるための貫通孔６０８と、補助回路基板４００の固定用のネジ孔６０９が形成されている。
【００２１】
このような構造により、データ通信装置５００を実装した補助回路基板４００は、前記コネクタ４０１を貫通孔６０８に挿入した状態でネジ６１０をネジ孔６０９に螺合させることにより基板ケース６００に取り付けられる。そして、補助回路基板４００は基板ケース６００に収容された状態で、コネクタ４０１を主回路基板３００のコネクタ３０１に接続される。さらに、基板ケース６００の脚部６０２の貫通孔６０７、及び、主回路基板３００の貫通孔３０２にネジ７０１を挿入し、当該ネジ７０１をフロントケース１００の内側に形成したネジ受け（図示省略）に螺合させることにより、内部機器を一体にしてケース１０内に取り付ける。このとき、主回路基板３００がフロントケース１００側に、補助回路基板４００がリアケース２００側になるよう取り付ける。そして、リアケース２００の貫通孔２３１，２３２にネジ７０２を挿入し、該ネジ７０２をそれぞれ基板ケース６００の係止片６０３，６０４のネジ孔６０５，６０６に螺合させることにより、フロントケース１００とリアケース２００が組み合わさる。このとき、補助回路基板４００上のデータ通信装置５００の上面がリアケース２００の熱伝導性シート２２０と密着する。
【００２２】
このような本実施の形態にかかる通信装置１では、データ通信装置５００に生じた熱は熱伝導性シート２２０を介してリアケース２００に伝導する。そして、リアケース２００に伝導した熱は取付具２１０を介して取付先に放熱される。ここで、リアケース２００と取付具２１０とは一体に形成され、またデータ通信装置５００とリアケース２００とは熱伝導性シート２２０を介して密着しているので、リアケース２００から取付先への熱伝導ロスを最小限に抑えることができる。また、取付具２１０は、リアケース２００の下面と取付先が密着しないようにリアケース２００の下面から突出しているので、リアケース２００の下面と取付先には空間が形成される。そして、当該空間を流通する空気によりリアケース２００からの放熱が更に促進される。また、リアケース２００と取付具２１０とが一体に形成されているので、耐振動性に優れたものとなる。
【００２３】
さらに、本実施の形態に係る通信装置１では、フロントケース１００を樹脂材料により形成するとともに、リアケース２００を金属材料により形成したので、放熱性・コスト・強度・重量の観点で好適なものとなる。すなわち、フロントケース１００には、高い放熱性及び強度は必要ないので、コスト及び重量の観点から樹脂材料を採用している。一方、リアケース２００は、高い放熱性及び強度が重要となるので、コストが高く且つ重量も大きいが金属材料を採用している。
【００２４】
また、本実施の形態に係る通信装置１では、フロントケース１００とリアケース２００の一端側を着脱自在なヒンジ構造により連結し、他端側を螺結しているので、組み付けが容易且つ確実となる。
【００２５】
以上、本発明の一実施の形態について詳述したが本発明はこれに限定されるものではない。例えば、上記実施の形態ではフロントケース１００を樹脂材料により形成するとともに、リアケース２００を金属材料により形成したが、各ケースの材料は、放熱性・コスト・強度・重量等を総合的に勘案して適宜好適なものを採用すればよい。
【図面の簡単な説明】
【００２６】
【図１】通信装置の斜視図
【図２】通信装置の分解斜視図
【図３】リアケースの側面図
【図４】ケースに収容された内部機器の構成を示す分解斜視図
【符号の説明】
【００２７】
１…通信装置、１０…ケース、１１…コネクタ、１２…電源端子、１３…グランド端子、１００…フロントケース、２００…リアケース、２１０…取付具、３００…主回路基板、４００…補助回路基板、５００…データ通信装置、６００…基板ケース
【図１】
2008028622.tif 000003
【図２】
2008028622.tif 000004
【図３】
2008028622.tif 000005
【図４】
2008028622.tif 000006